(57)【要約】【課題】ユーザの電子機器に対する安心感を向上させる情報を提示する。【解決手段】データ送信方法は、第１の固有番号のデータと、第２の固有番号のデータと、を紐付けして、第１の固有番号と第２の固有番号とを記憶する記憶部１４０を備えるサーバ１００のデータ送信方法であり、第１の固有番号受付ステップと、判定ステップと、第２の固有番号送信ステップと、を備える。第１の固有番号受付ステップは、第１の電子機器から第２の電子機器の第１の固有番号のデータを受け付ける。判定ステップは、第１の電子機器から受け付けた第１の固有番号が記憶部１４０に記憶された第１の固有番号と一致しているか否かを判定する。第２の固有番号送信ステップは、判定ステップによって一致していると判定された場合、記憶部１４０に一致していると判定された第１の固有番号と紐付けられて記憶されている第２の固有番号のデータを第１の電子機器に送信する。【選択図】図２
2018142133.tif 000002
【特許請求の範囲】
【請求項１】
第１の固有番号のデータと、第２の固有番号のデータと、を紐付けして、前記第１の固有番号と前記第２の固有番号とを記憶する記憶部を備えるサーバのデータ送信方法であって、
第１の電子機器から第２の電子機器の前記第１の固有番号のデータを受け付ける第１の固有番号受付ステップと、
前記第１の電子機器から受け付けた前記第１の固有番号が前記記憶部に記憶された前記第１の固有番号と一致しているか否かを判定する判定ステップと、
前記判定ステップによって前記第１の電子機器から受け付けた前記第１の固有番号が前記記憶部に記憶された前記第１の固有番号と一致していると判定された場合、前記記憶部に前記一致していると判定された前記第１の固有番号と紐付けられて記憶されている前記第２の固有番号のデータを前記第１の電子機器に送信する第２の固有番号送信ステップと、
を備えることを特徴とするデータ送信方法。
【請求項２】
前記第１の固有番号受付ステップにおいて、前記第１の電子機器が取得した前記第２の電子機器に記憶された前記第１の固有番号のデータを、前記第１の電子機器から受け付ける、
ことを特徴とする請求項１に記載のデータ送信方法。
【請求項３】
前記第１の固有番号および前記第２の固有番号は、前記第２の電子機器を識別するための番号である、
ことを特徴とする請求項１または２に記載のデータ送信方法。
【請求項４】
前記記憶部は、前記第２の電子機器の所定期間のデータを記憶し、
前記第１の電子機器から所定の日を示すデータを受け付ける日付受付ステップと、
前記第２の電子機器の前記所定の日に前記記憶部に記憶されている前記所定期間を加えた日を示すデータを前記第１の電子機器に送信する日付送信ステップと、を備えることを特徴とする請求項１から３の何れか１項に記載のデータ送信方法。
【請求項５】
前記所定の日は、前記第１の電子機器と前記第２の電子機器とが最初にペアリングした日であることを特徴とする請求項４に記載のデータ送信方法。
【請求項６】
前記所定の日は、前記第２の電子機器が購入された日を示すことを特徴とする請求項４に記載のデータ送信方法。
【請求項７】
前記第１の固有番号受付ステップで受け付ける前記第１の固有番号のデータは、前記第１の電子機器が、前記第２の電子機器とペアリングするための通信動作内で取得した前記第２の電子機器の記憶部に記憶されているデータである、
ことを特徴とする請求項１から６のいずれか１項に記載のデータ送信方法。
【請求項８】
第１の電子機器とサーバとを備える表示システムであり、
前記サーバは、第１の固有番号のデータと、第２の固有番号のデータと、を紐付けして、前記第１の固有番号と前記第２の固有番号とを記憶する記憶部と、
前記第１の電子機器から第２の電子機器の前記第１の固有番号のデータを受信する通信部と、
制御部と、を備え、
前記制御部は、
前記第１の電子機器から受信した前記第１の固有番号が前記記憶部に記憶された前記第１の固有番号と一致しているか否かを判定し、
前記第１の電子機器から受信した前記第１の固有番号が前記記憶部に記憶された前記第１の固有番号と一致していると判定された場合、前記記憶部に前記一致していると判定された前記第１の固有番号のデータと紐付けられて記憶されている前記第２の固有番号のデータを、前記通信部に前記第１の電子機器へ送信させ、
前記第１の電子機器は、予め用意された基礎データに前記サーバから送信された前記第２の固有番号のデータを含んで表示データを生成し、該表示データを表示部に表示する、
ことを特徴とする表示システム。
【請求項９】
前記サーバの前記記憶部に、前記第２の電子機器の所定期間のデータを記憶し、
前記サーバの前記通信部は、第１の電子機器から第１の日付を示すデータを受信し、
前記サーバの前記制御部は、前記第２の電子機器の前記第１の日付に前記記憶部に記憶されている前記所定期間を加えた日である第２の日付のデータを生成し、前記通信部に前記第１の電子機器へ送信させ、
前記第１の電子機器は、前記表示データを前記サーバから送信された前記第２の日付のデータを含んで生成する、
ことを特徴とする請求項８に記載の表示システム。
【請求項１０】
第１の固有番号のデータと、第２の固有番号のデータと、を紐付けして、前記第１の固有番号と前記第２の固有番号とを記憶する記憶部と、
第１の電子機器から第２の電子機器の前記第１の固有番号のデータを受信する通信部と、
制御部と、を備え、
前記制御部は、
前記第１の電子機器から受信した前記第１の固有番号が前記記憶部に記憶された前記第１の固有番号と一致しているか否かを判定し、
前記第１の電子機器から受信した前記第１の固有番号が前記記憶部に記憶された前記第１の固有番号と一致していると判定した場合、前記記憶部に前記一致していると判定された前記第１の固有番号と紐付けられて記憶されている前記第２の固有番号のデータを、前記通信部に前記第１の電子機器へ送信させる、
を備えることを特徴とするサーバ。
【請求項１１】
コンピュータを、
第１の固有番号のデータと、第２の固有番号のデータと、を紐付けして、前記第１の固有番号と前記第２の固有番号とを記憶する記憶手段、
第１の電子機器から第２の電子機器の前記第１の固有番号のデータを受け付ける受付手段、
前記第１の電子機器から受け付けた前記第１の固有番号が前記記憶手段に記憶された前記第１の固有番号と一致しているか否かを判定する判定手段、
前記判定手段によって前記第１の電子機器から受け付けた前記第１の固有番が前記記憶手段に記憶された前記第１の固有番号と一致していると判定した場合、前記記憶手段に前記一致していると判定された前記第１の固有番号と紐付けられて記憶されている前記第２の固有番号のデータを前記第１の電子機器に送信する送信手段、
として機能させるプログラム。
【発明の詳細な説明】
【技術分野】
【０００１】
本発明は、データ送信方法、表示システム、サーバおよびプログラムに関する。
【背景技術】
【０００２】
特許文献１は、インターネット上で効率的に製品の取扱説明書や操作方法の検索、および製品保証書の発行が可能なシステムを開示している。ユーザが、取扱説明書を検索したい場合、インターネットなどを介してこのシステムに接続した端末に製品名を入力することで、取扱説明書が端末の表示画面に表示される。また、ユーザが、製品名と製造番号を端末に入力すると、製品保証書が端末の表示画面に表示される。
【先行技術文献】
【特許文献】
【０００３】
【特許文献１】特開２００８−０７１３２７号公報
【発明の概要】
【発明が解決しようとする課題】
【０００４】
ところで、電子機器などの製品は、その外形に付される製品名や、製品番号などの固有番号も含めて模倣される。このため、ユーザが、外形に付されている製品名や製品番号のみで、正規品であるのか模倣品であるのかを判定することは困難である。特許文献１に開示されたシステムでも、模倣品に正規品と同一の製品名および製造番号が付されていると、正規品でなくても製品保証書が端末に表示されてしまい、特許文献１のシステムを製品の真贋判定に使用することはできない。
【０００５】
本発明は、上記のような課題を解決するためになされたものであり、ユーザの電子機器に対する安心感を向上させる情報を提示することを目的とする。
【課題を解決するための手段】
【０００６】
本発明の目的を達成するため、本発明に係るデータ送信方法の一態様は、
第１の固有番号のデータと、第２の固有番号のデータと、を紐付けして、前記第１の固有番号と前記第２の固有番号とを記憶する記憶部を備えるサーバのデータ送信方法であって 、
第１の電子機器から第２の電子機器の前記第１の固有番号のデータを受け付ける第１の固有番号受付ステップと、
前記第１の電子機器から受け付けた前記第１の固有番号が前記記憶部に記憶された前記第１の固有番号と一致しているか否かを判定する判定ステップと、
前記判定ステップによって前記第１の電子機器から受け付けた前記第１の固有番号が前記記憶部に記憶された前記第１の固有番号と一致していると判定された場合、前記記憶部に前記一致していると判定された前記第１の固有番号と紐付けられて記憶されている前記第２の固有番号のデータを前記第１の電子機器に送信する第２の固有番号送信ステップと、
を備えることを特徴とする。
【０００７】
また、本発明の目的を達成するため、本発明に係る表示システムの一態様は、
第１の電子機器とサーバとを備える表示システムであり、
前記サーバは、第１の固有番号のデータと、第２の固有番号のデータと、を紐付けして、前記第１の固有番号と前記第２の固有番号とを記憶する記憶部と、
前記第１の電子機器から第２の電子機器の前記第１の固有番号のデータを受信する通信部と、
制御部と、を備え、
前記制御部は、
前記第１の電子機器から受信した前記第１の固有番号が前記記憶部に記憶された前記第１の固有番号と一致しているか否かを判定し、
前記第１の電子機器から受信した前記第１の固有番号が前記記憶部に記憶された前記第１の固有番号と一致していると判定された場合、前記記憶部に前記一致していると判定された前記第１の固有番号のデータと紐付けられて記憶されている前記第２の固有番号のデータを、前記通信部に前記第１の電子機器へ送信させ、
前記第１の電子機器は、予め用意された基礎データに前記サーバから送信された前記第２の固有番号のデータを含んで表示データを生成し、該表示データを表示部に表示する、
ことを特徴とする。
【０００８】
また、本発明の目的を達成するため、本発明に係るサーバの一態様は、
第１の固有番号のデータと、第２の固有番号のデータと、を紐付けして、前記第１の固有番号と前記第２の固有番号とを記憶する記憶部と、
第１の電子機器から第２の電子機器の前記第１の固有番号のデータを受信する通信部と、
制御部と、を備え、
前記制御部は、
前記第１の電子機器から受信した前記第１の固有番号が前記記憶部に記憶された前記第１の固有番号と一致しているか否かを判定し、
前記第１の電子機器から受信した前記第１の固有番号が前記記憶部に記憶された前記第１の固有番号と一致していると判定した場合、前記記憶部に前記一致していると判定された前記第１の固有番号と紐付けられて記憶されている前記第２の固有番号のデータを、前記通信部に前記第１の電子機器へ送信させる、
を備えることを特徴とする。
【０００９】
また、本発明の目的を達成するため、本発明に係るプログラムの一態様は、
コンピュータを、
第１の固有番号のデータと、第２の固有番号のデータと、を紐付けして、前記第１の固有番号と前記第２の固有番号とを記憶する記憶手段、
第１の電子機器から第２の電子機器の前記第１の固有番号のデータを受け付ける受付手段、
前記第１の電子機器から受け付けた前記第１の固有番号が前記記憶手段に記憶された前記第１の固有番号と一致しているか否かを判定する判定手段、
前記判定手段によって前記第１の電子機器から受け付けた前記第１の固有番が前記記憶手段に記憶された前記第１の固有番号と一致していると判定した場合、前記記憶手段に前記一致していると判定された前記第１の固有番号と紐付けられて記憶されている前記第２の固有番号のデータを前記第１の電子機器に送信する送信手段、
として機能させる。
【発明の効果】
【００１０】
本発明によれば、ユーザの電子機器に対する安心感を向上させる情報を提示することができる。
【図面の簡単な説明】
【００１１】
【図１】本発明の第１の実施の形態に係る管理システムを示す図である。
【図２】本発明の第１の実施の形態に係るサーバの構成を示すブロック図である。
【図３】本発明の第１の実施の形態に係るモジュールＩＤテーブルを示す図である。
【図４】本発明の第１の実施の形態に係る通信端末の構成を示すブロック図である。
【図５】本発明の第１の実施の形態に係る電子時計の構成を示すブロック図である。
【図６】本発明の第１の実施の形態に係るサーバが実行する製品シリアル登録処理を示すフローチャートである。
【図７】本発明の第１の実施の形態に係る電子機器が実行するモジュールＩＤ送信処理を示すフローチャートである。
【図８】本発明の第１の実施の形態に係る通信端末が実行する証明書表示処理を示すフローチャートである。
【図９】本発明の第１の実施の形態に係るサーバが実行する製品シリアル送信処理を示すフローチャートである。
【図１０】本発明の第１の実施の形態に係る電子時計と通信端末のディスプレイの表示とを示す図である。
【図１１】本発明の第２の実施の形態に係るサーバの構成を示すブロック図である。
【図１２】本発明の第２の実施の形態に係るモジュールＩＤテーブルを示す図である。
【図１３】本発明の第２の実施の形態に係る通信端末の構成を示すブロック図である。
【図１４】本発明の第２の実施の形態に係る通信端末が実行する保証書・証明書表示処理を示すフローチャートである。
【図１５】本発明の第２の実施の形態に係るサーバが実行する保証期限・製品シリアル送信処理を示すフローチャートである。
【図１６】本発明の第２の実施の形態に係る電子時計と通信端末のディスプレイの表示を示す図である。
【発明を実施するための形態】
【００１２】
以下、本発明を実施するための形態に係る証明書表示システムを、図面を参照しながら説明する。
【００１３】
（第１の実施の形態）
第１の実施の形態に係る証明書表示システム１は、図１に示すように、サーバ１００と、通信端末２００と、を備える。サーバ１００は、通信端末２００（第１の電子機器）を介して送信された、電子時計（第２の電子機器）３００のケース内に配置され、電子部品が搭載される基板（モジュール）に付される固有番号であるモジュールＩＤ（第１の固有番号）のデータを受信し、このモジュールＩＤがサーバ１００に予め登録されたモジュールＩＤと一致した場合、モジュールＩＤに対応する製品シリアルＳ（第２の固有番号）のデータを通信端末２００に送信する。通信端末２００は、表示部２４０に電子時計３００の製品シリアルＳを含む証明書を示す画像を表示する。電子時計３００のユーザは、裏蓋に刻印された製品シリアルＳと証明書に含まれる製品シリアルＳとが一致していることを確認することで、電子時計が正規品であることを確認できる。サーバ１００と通信端末２００とは、インターネット回線を通じて相互に通信可能に構成される。通信端末２００と電子時計３００とは、無線回線を通じて相互に通信可能に構成される。
【００１４】
サーバ１００は、図２に示すように、制御部１１０と、入力部１２０と、通信部１３０と、記憶部１４０と、を備える。
【００１５】
制御部１１０は、ＣＰＵ（Central Processing Unit）、ＲＯＭ（Read Only Memory）、ＲＡＭ（Random Access Memory）から構成される。制御部１１０は、ＣＰＵがＲＯＭに記憶されたプログラムを読み出してＲＡＭ上で実行することにより、製品シリアル登録部（固有番号登録部）１１１と、モジュールＩＤ受付部１１２と、判定部１１３と、製品シリアル送信部（送信部）１１４として機能する。
【００１６】
製品シリアル登録部１１１は、電子時計３００のモジュールＩＤおよび製品シリアルＳを入力部１２０を介して取得し、モジュールＩＤと製品シリアルＳとを紐付けし、記憶部１４０に記憶された図３に示すモジュールＩＤテーブルに登録（記憶）する。モジュールＩＤは、製造ライン、製造日、通し番号等から構成され、電子時計３００に組み込まれたモジュールを識別するための番号であり、後述する電子時計３００の記憶部３２０に記憶されている。製品シリアルＳは、製品モデル名と通し番号から構成され、組み立てられた電子時計３００を識別するために付与される番号であり、電子時計３００の裏蓋に刻印されている。
【００１７】
モジュールＩＤ受付部１１２は、通信端末２００によって取得された電子時計３００のモジュールＩＤを通信部１３０を介して受け付けるものである。
【００１８】
判定部１１３は、モジュールＩＤ受付部１１２が受け付けたモジュールＩＤがモジュールＩＤテーブルに登録されているか否かを判定するものである。
【００１９】
製品シリアル送信部１１４は、モジュールＩＤを判定部１１３がモジュールＩＤテーブルに登録されていると判定した場合、モジュールＩＤ受付部１１２によって受け付けられたモジュールＩＤに対応する製品シリアルＳを含むデータを通信部１３０を介して通信端末２００に送信する。一方、モジュールＩＤを判定部１１３がモジュールＩＤテーブルに登録されていないと判定した場合、製品シリアル送信部１１４は、モジュールＩＤが登録されていない旨のデータを通信端末２００に送信する。
【００２０】
入力部１２０は、電子時計３００のモジュールＩＤと製品シリアルＳとを読み取り、このモジュールＩＤと製品シリアルＳとを製品シリアル登録部１１１に出力する。例えば、入力部１２０は、電子時計３００と通信可能に接続した通信器を介してモジュールＩＤを取得する。また、入力部１２０は、例えば、裏蓋に刻印された製品シリアルＳを撮像した画像をＯＣＲ（Optical Character Recognition）により文字データに変換して取得したり、裏蓋に製品シリアルＳを刻印すると同時にバーコードを発行し、そのバーコードをスキャンすることでデータを取得する。
【００２１】
通信部１３０は、インターネット回線を介して、通信端末２００と相互に通信するものである。通信部１３０は、通信端末２００から送信されたモジュールＩＤを受信する。また、通信部１３０は、製品シリアルＳを含むデータ等を通信端末２００に送信する。
【００２２】
記憶部１４０は、ハードディスクドライブ等の不揮発性メモリから構成され、モジュールＩＤテーブルを記憶するものである。
【００２３】
通信端末２００は、図４に示すように、制御部２１０と、通信部２２０と、記憶部２３０と、表示部２４０と、操作部２５０と、を備える。通信端末２００は、サーバ１００とインターネット回線を介して通信でき、電子時計３００と無線回線を通じて相互に通信できるものであり、例えばスマートホン、タブレットＰＣ（Personal Computer）などから構成される。
【００２４】
制御部２１０は、ＣＰＵ、ＲＯＭ、ＲＡＭから構成される。制御部２１０は、ＣＰＵがＲＯＭに記憶されたプログラムを読み出してＲＡＭ上で実行することにより、モジュールＩＤ取得部２１１と、モジュールＩＤ送信部２１２と、製品シリアル受信部２１３と、証明書画像生成部２１４と、ペアリング部２１５として機能する。
【００２５】
モジュールＩＤ取得部２１１は、電子時計３００と通信端末２００とがペアリングしたときに、電子時計３００から送信されたモジュールＩＤを通信部２２０を介して取得する。モジュールＩＤ取得部２１１は、このモジュールＩＤのデータを記憶部２３０に保存する。
【００２６】
モジュールＩＤ送信部２１２は、モジュールＩＤ取得部２１１によって取得されたモジュールＩＤを通信部２２０を介してサーバ１００に送信する。
【００２７】
製品シリアル受信部２１３は、サーバ１００から送信された製品シリアルＳのデータおよびモジュールＩＤが登録されていない旨のデータを通信部２２０を介して取得する。
【００２８】
証明書画像生成部２１４は、製品シリアル受信部２１３が製品シリアルＳのデータを取得すると、記憶部２３０に予め保存された証明書の画像データ（基礎データ）に製品シリアルＳを合成して、製品シリアルＳを含む証明書の画像（表示データ）を生成し、この画像を表示部２４０に表示する。一方、製品シリアル受信部２１３がモジュールＩＤが登録されていない旨のデータを取得すると、証明書画像生成部２１４は、モジュールＩＤが登録されていない旨の情報を含む画像を生成し、この画像を表示部２４０に表示する。
【００２９】
ペアリング部２１５は、操作部２５０に入力されたＰＩＮ（Personal Identification Number）およびユーザの操作により、通信端末２００と電子時計３００とのペアリング処理を実行する。
【００３０】
通信部２２０は、無線ＬＡＮ（Local Area Network）、Ｂｌｕｅｔｏｏｔｈ（登録商標）などの無線通信モジュールから構成される。例えば、通信部２２０は、無線ＬＡＮによりインターネットのアクセスポイントを介してサーバ１００と相互に通信する。また、通信部２２０は、電子時計３００とＢｌｕｅｔｏｏｔｈにより相互に通信する。
【００３１】
記憶部２３０は、モジュールＩＤ取得部２１１が取得したモジュールＩＤのデータ、製品シリアル受信部２１３が取得した製品シリアルＳのデータ、および証明書画像生成部２１４が生成した証明書の画像を記憶する。また、記憶部２３０は、予め証明書の画像データを保存する。
【００３２】
表示部２４０は、画像を表示するものであり、ＬＣＤ（Liquid Crystal Display）などから構成される。表示部２４０は、証明書画像生成部２１４が生成した製品シリアルＳを含む証明書の画像およびモジュールＩＤが登録されていない旨の情報を含む画像を表示する。
【００３３】
操作部２５０は、ユーザの入力に基づいて、証明書表示処理を開始する指示、ＰＩＮのデータ等を受け付けるものである。なお、操作部２５０と表示部２４０とは、タッチパネルディスプレイ装置を構成する。
【００３４】
電子時計３００は、日時を表示し、図５に示すように、制御部３１０と、記憶部３２０と、通信部３３０と、アナログ表示部３４０と、デジタル表示部３５０と、操作部３６０と、を備える。電子時計３００の裏蓋には、製品シリアルＳが刻印されている。制御部３１０と、記憶部３２０と、は電子時計３００のモジュールを構成する。
【００３５】
制御部３１０は、ＣＰＵ、ＲＯＭ、ＲＡＭから構成される。制御部３１０は、ＣＰＵがＲＯＭに記憶されたプログラムを読み出してＲＡＭ上で実行することにより、モジュールＩＤ送信部３１１と、表示制御部３１２と、ペアリング部３１３として機能する。
【００３６】
モジュールＩＤ送信部３１１は、通信端末２００と電子時計３００とがペアリングしたと判断すると、記憶部３２０に記憶されたモジュールＩＤを通信部３３０を介して通信端末２００に送信する。
【００３７】
表示制御部３１２は、アナログ表示部３４０およびデジタル表示部３５０を制御するものである。表示制御部３１２は、通信部３３０を介して取得した時刻情報に基づいて、アナログ表示部３４０およびデジタル表示部３５０に現在時刻を表示する。
【００３８】
ペアリング部３１３は、通信部３３０を介してアドバタイズ信号を送信し、通信端末２００からＰＩＮが入力された旨の応答信号を受信すると、通信端末２００と電子時計３００とのペアリング処理を実行する。
【００３９】
記憶部３２０は、フラッシュメモリなどの不揮発性メモリから構成され、固有のモジュールＩＤを記憶する。
【００４０】
通信部３３０は、Ｂｌｕｅｔｏｏｔｈなどの無線通信モジュールから構成される。通信部３３０は、通信端末２００とＢｌｕｅｔｏｏｔｈにより相互に通信する。
【００４１】
アナログ表示部３４０は、図１に示すように、針と文字板とにより時刻を表示するものである。デジタル表示部３５０は、ＬＣＤなどから構成され、時刻などの情報を表示するものである。操作部３６０は、モジュールＩＤ送信処理を開始する操作を受け付けるものである。
【００４２】
つぎに、以上の構成を有するサーバ１００が実行する製品シリアル登録処理について説明する。製品シリアル登録処理は、品質検査に合格した電子時計３００のモジュールＩＤと製品シリアルＳとをサーバ１００に登録する処理である。
【００４３】
サーバ１００は、管理者による処理を開始させる指示に応答し、図６に示す製品シリアル登録処理を開始する。以下、サーバ１００が実行する製品シリアル登録処理を、フローチャートを用いて説明する。
【００４４】
まず、製品シリアル登録部１１１は、電子時計３００の記憶部３２０に記憶されているモジュールＩＤのデータを取得する（ステップＳ１０１）。例えば、製品シリアル登録部１１１は、電子時計３００と通信可能に接続した通信器を介して読み取ったモジュールＩＤのデータを取得する。つぎに、製品シリアル登録部１１１は、電子時計３００の裏蓋に刻印されている製品シリアルＳのデータを取得する（ステップＳ１０２）。例えば、製品シリアル登録部１１１は、裏蓋に刻印された製品シリアルＳを撮像した画像をＯＣＲにより文字データに変換された製品シリアルＳのデータを取得する。
【００４５】
つぎに、製品シリアル登録部１１１は、モジュールＩＤと製品シリアルＳとを紐付けし、記憶部１４０に記憶された図３に示すモジュールＩＤテーブルに登録（記憶）する（ステップＳ１０３）。つぎに、製品シリアル登録部１１１は、サーバ１００の入力部１２０に製品シリアル登録処理を終了させる指示が入力されているか否かを判定する（ステップＳ１０４）。終了させる指示が入力されていないと判定した場合（ステップＳ１０４：Ｎｏ）、ステップＳ１０１〜ステップＳ１０３を繰り返し、製造された全ての電子時計３００毎にモジュールＩＤと製品シリアルＳとを登録する。ステップ製品シリアル登録部１１１は、終了させる指示が入力されたと判定した場合（ステップＳ１０４：Ｙｅｓ）、製品シリアル登録処理を終了する。
【００４６】
つぎに、以上の構成を有する電子時計３００が実行する図７に示すモジュールＩＤ送信処理、通信端末２００が実行する図８に示す証明書表示処理、およびサーバ１００が実行する図９に示す製品シリアル送信処理について説明する。これらの処理は、電子時計３００の証明書を通信端末２００の表示部２４０に表示するための処理である。
【００４７】
電子時計３００は、ユーザによる処理を開始させる指示に応答し、図７に示すモジュールＩＤ送信処理を開始する。また、通信端末２００は、ユーザによる処理を開始させる指示に応答し、図８に示す証明書表示処理を開始する。サーバ１００は、管理者による処理を開始させる指示に応じて、図９に示す製品シリアル送信処理を開始する。なお、サーバ１００は、製品シリアル送信処理を常時実行している。
【００４８】
まず、電子時計３００が図７に示すモジュールＩＤ送信処理を開始すると、ペアリング部３１３は、通信部３３０を介してアドバタイズ信号を送信する（ステップＳ２０１：図７）。つぎに、ペアリング部３１３は、応答信号を受信する（ステップＳ２０２：図７）。つぎに、ペアリング部３１３は、通信端末２００から送信された応答信号を受信したか否かを判定する（ステップＳ２０３：図７）。応答信号を受信していないと判定すると（ステップＳ２０３：Ｎｏ：図７）、ステップＳ２０１〜ステップＳ２０２を繰り返す。
【００４９】
つぎに、通信端末２００が図８に示す証明書表示処理を開始すると、ペアリング部２１５は、アドバタイズ信号をスキャンする（ステップＳ３０１：図８）。ペアリング部２１５がアドバタイズ信号を受信すると、ペアリング部２１５は、ユーザにより入力されたＰＩＮを受け付ける（ステップＳ３０２：図８）。つぎに、通信端末２００のペアリング部２１５は、入力されたＰＩＮと電子時計３００に登録されたＰＩＮとが一致しているか否かを判定する（ステップＳ３０３：図８）。一致していないと判定した場合（ステップＳ３０３：Ｎｏ：図８）、ステップＳ３０１に戻る。一致したと判定した場合（ステップＳ３０３：Ｙｅｓ：図８）、ペアリング部２１５は、通信部２２０を介して応答信号を送信する（ステップＳ３０４：図８）。
【００５０】
つぎに、電子時計３００のペアリング部３１３は、通信端末２００から送信された応答信号を受信したと判定すると（ステップＳ２０３：Ｙｅｓ：図７）、通信端末２００とのリンクを確立する（ステップＳ２０４：図７）。同様に、通信端末２００のペアリング部２１５は、電子時計３００とのリンクを確立する（ステップＳ３０５：図８）。これにより、電子時計３００は、通信端末２００と相互に通信可能になる。
【００５１】
つぎに、電子時計３００のモジュールＩＤ送信部３１１は、通信部３３０を介して、記憶部３２０に記憶したモジュールＩＤのデータを通信端末２００に送信する（ステップＳ２０５：図７）。その後、モジュールＩＤ送信処理は終了する。
【００５２】
つぎに、通信端末２００のモジュールＩＤ取得部２１１は、通信部２２０を介して、電子時計３００から送信されたモジュールＩＤのデータを取得する（ステップＳ３０６：図８）。モジュールＩＤ取得部２１１は、このモジュールＩＤのデータを記憶部２３０に保存する。つぎに、モジュールＩＤ送信部２１２は、電子時計３００との接続が初回接続であるか否かを判定する（ステップＳ３０７：図８）。記憶部２３０にモジュールＩＤが保存されている場合は、初回接続でないと判定し、記憶部２３０にモジュールＩＤが保存されていない場合は初回接続であると判定する。初回接続でないと判定した場合（ステップＳ３０７：Ｎｏ：図８）、証明書表示処理を終了する。
【００５３】
初回接続であると判定した場合（ステップＳ３０７：Ｙｅｓ：図８）、通信端末２００のモジュールＩＤ送信部２１２は、通信部２２０を介して、モジュールＩＤのデータをサーバ１００に送信する（ステップＳ３０８：図８）。
【００５４】
通信端末２００がモジュールＩＤのデータをサーバ１００に送信すると、サーバ１００のモジュールＩＤ受付部１１２は、このモジュールＩＤのデータを受信する（ステップＳ４０１：図９）。つぎに、判定部１１３は、このモジュールＩＤがモジュールＩＤテーブルに登録されているか否かを判定する（ステップＳ４０２：図９）。
【００５５】
判定部１１３が、モジュールＩＤテーブルに登録されていると判定すると（ステップＳ４０２：Ｙｅｓ：図９）、製品シリアル送信部１１４は、受信したモジュールＩＤと同一の値である記憶部１４０に記憶されているモジュールＩＤに紐付けられた製品シリアルＳのデータを送信する（ステップＳ４０３：図９）。例えば、図３に示すモジュールＩＤテーブルを参照し、モジュールＩＤが「ＰＬ２０３１２０１２５」であるとすると、製品シリアル送信部１１４は、「ＧＳ０００３」のデータを製品シリアルＳのデータとして送信する。判定部１１３が、モジュールＩＤテーブルに登録されていないと判定すると（ステップＳ４０２：Ｎｏ：図９）、製品シリアル送信部１１４は、登録されていない旨のデータを送信する（ステップＳ４０４：図９）。その後、ステップＳ４０１に戻り、サーバ１００は、次にモジュールＩＤが送信された場合、受信できるモードで待機する。
【００５６】
つぎに、通信端末２００の製品シリアル受信部２１３は、サーバ１００から送信された製品シリアルＳのデータまたは登録されていない旨のデータを受信する（ステップＳ３０９：図８）。つぎに、通信端末２００の証明書画像生成部２１４は、製品シリアルＳのデータを受信したか否かを判定する（ステップＳ３１０：図８）。製品シリアルＳのデータを受信していない（登録されていない旨のデータを受信した）と判定すると（ステップＳ３１０：Ｎｏ：図８）、証明書画像生成部２１４は、モジュールＩＤが登録されていない旨の情報を含む画像を生成し、この画像を表示部２４０に表示する（ステップＳ３１２：図８）。その後、証明書表示処理を終了する。
【００５７】
製品シリアルＳのデータを受信したと判定すると（ステップＳ３１０：Ｙｅｓ：図８）、証明書画像生成部２１４は、この製品シリアルＳを記憶部２３０に予め保存された証明書の画像データに合成して、製品シリアルＳを含む証明書の画像を生成する（ステップＳ３１１：図８）。証明書画像生成部２１４は、図１０に示すように、製品シリアルＳを含む証明書の画像を表示部２４０に表示する。この例では、表示部２４０に表示された製品シリアルＳは、「ＧＳ０００３」であり、電子時計３００の裏蓋に刻印された製品シリアルＳも「ＧＳ０００３」である。
【００５８】
以上のように、第１の実施の形態の証明書表示システム１によれば、通信端末２００の表示部２４０に電子時計３００の製品シリアルＳを含む証明書を表示することができ、ユーザが、表示部２４０に表示された証明書の製品シリアルＳと、電子時計３００の裏蓋に刻印されている製品シリアルＳと、を見比べ、同じであれば、正規品であることを確認できる。これにより、ユーザの電子時計３００に対する安心感を向上させることができる。製品シリアルＳが刻印され、外形が巧妙に模倣された電子時計であっても、モジュールＩＤをコピーすることは困難である。また、モジュールＩＤと製品シリアルＳとの対応関係は、サーバ１００のモジュールＩＤテーブルに記憶されているだけであり、モジュールＩＤと製品シリアルＳとを対応して模倣した電子時計の作成は、さらに困難である。また、証明書表示システム１によれば、通信端末２００と電子時計３００とがペアリングしたときに証明書が表示されるため、ユーザに煩雑な操作を要求しない。
従って、第１の実施の形態の証明書表示システム１は、外形のみ模倣された劣悪な電子時計の流通を防止する。
【００５９】
（第２の実施の形態）
上述の第１の実施の形態の証明書表示システム１は、通信端末２００の表示部２４０に証明書の画像が表示される例について説明した。第２の実施の形態では、証明書に加えて、表示部２４０に保証期限（第２の日付）の情報を含む保証書を表示部２４０に表示する場合について説明する。
【００６０】
第２の実施の形態のサーバ１００の制御部１１０は、図１１に示すように、図２に示す第１の実施の形態のサーバ１００の制御部１１０の機能に加えて、購入日受付部１１５と、保証期限送信部１１６として機能する。第２の実施の形態のサーバ１００のその他の構成は、第１の実施の形態と同じである。
【００６１】
購入日受付部１１５は、通信部１３０を介して、通信端末２００から送信された最初にペアリングした日（所定の日、第１の日付）を示すデータを受け付け、この最初にペアリングした日を示すデータを図１２に示すモジュールＩＤテーブルに保存する。なお、最初にペアリングした日を購入日として認定し、保証期間（所定期間）の開始日とする。
【００６２】
保証期限送信部１１６は、購入日受付部１１５が受け付けた最初にペアリングした日からモジュールＩＤテーブルに予め保存された保証期間を加算した保証期限を算出し、この保証期限を通信部１３０を介して、通信端末２００に送信する。
【００６３】
第２の実施の形態の通信端末２００の制御部２１０は、図１３に示すように、図４に示す第１の実施の形態の通信端末２００の制御部２１０の機能に加えて、購入日送信部２１６と、保証期限受信部２１７と、保証書画像生成部２１８として機能する。第２の実施の形態の通信端末２００のその他の構成は、第１の実施の形態と同じである。
【００６４】
購入日送信部２１６は、最初にペアリングした日を購入日として認定し、最初にペアリングした日を示すデータを通信端末２００の記憶部２３０に保存する。また、通信部２２０を介して、最初にペアリングした日を示すデータをサーバ１００に送信する。
【００６５】
保証期限受信部２１７は、サーバ１００から送信された保証期限を示すデータを受信し、記憶部２３０に記憶する。
【００６６】
保証書画像生成部２１８は、保証期限受信部２１７が保証期限を示すデータを受信すると、記憶部２３０に予め保存された保証書の画像データ（基礎データ）に保証期限を合成して、保証期限を含む保証書の画像（表示データ）を生成し、この画像を記憶部２３０に保存し、表示部２４０に表示する。
【００６７】
第２の実施の形態の電子時計３００は、第１の実施の形態の電子時計３００と同じ構成を有している。
【００６８】
つぎに、以上の構成を有する通信端末２００が実行する証明書・保証書表示処理およびサーバ１００が実行する保証期限・製品シリアル送信処理について説明する。証明書・保証書表示処理は、第１の実施の形態の保証書表示処理とステップＳ３０７のモジュールＩＤ送信処理まで同じである。ステップＳ３０７以降の保証書・証明書表示処理について図１４を参照しながら、保証期限・製品シリアル送信処理について図１５を参照しながら説明する。
【００６９】
通信端末２００のモジュールＩＤ送信部２１２が、モジュールＩＤのデータをサーバ１００に送信するモジュールＩＤ送信処理を実施すると、つぎに、購入日送信部２１６は、最初にペアリングした日を示すデータを通信端末２００の記憶部２３０に保存し、通信部２２０を介して、最初にペアリングした日を示すデータをサーバ１００に送信する（ステップＳ５０１：図１４）。つぎに、通信端末２００がモジュールＩＤのデータおよび最初にペアリングした日をサーバ１００に送信すると、サーバ１００のモジュールＩＤ受付部１１２は、このモジュールＩＤのデータを受信し（ステップＳ６０１：図１５）、購入日受付部１１５は、通信端末２００から送信された最初にペアリングした日を示すデータを受け付け（ステップＳ６０２：図１５）、最初にペアリングした日を示すデータを図１２に示すモジュールＩＤテーブルに保存する。つぎに、判定部１１３は、このモジュールＩＤがモジュールＩＤテーブルに登録されているか否かを判定する（ステップＳ６０３：図１５）。
【００７０】
判定部１１３が、モジュールＩＤテーブルに登録されていると判定すると（ステップＳ６０３：Ｙｅｓ：図１５）、製品シリアル送信部１１４は、受信したモジュールＩＤに紐付けられた製品シリアルのデータを送信し、保証期限送信部１１６は、購入日受付部１１５が受け付けた最初にペアリングした日からモジュールＩＤテーブルに予め保存された保証年数を加算した保証期限を算出し、この保証期限を通信部１３０を介して、通信端末２００に送信する。（ステップＳ６０４：図１５）。例えば、図１２に示すモジュールＩＤテーブルを参照し、モジュールＩＤが「ＰＬ２０３１２０１２５」であるとすると、製品シリアル送信部１１４は、「ＧＳ０００３」のデータを製品シリアルＳのデータとして送信する。最初にペアリングした日が２０１７年３月２日とすると、モジュールＩＤテーブルに予め保存された保証年数（３年）を加えた保証期限（２０２０年３月２日）を算出し、この保証期限を送信する。
【００７１】
判定部１１３が、モジュールＩＤテーブルに登録されていないと判定すると（ステップＳ６０３：Ｎｏ：図１５）、製品シリアル送信部１１４は、登録されていない旨のデータを送信する（ステップＳ６０５：図１５）。その後、ステップＳ６０１に戻り、サーバ１００は、次にモジュールＩＤが送信された場合、受信できるモードで待機する。
【００７２】
つぎに、通信端末２００の製品シリアル受信部２１３は、サーバ１００から送信された製品シリアルＳのデータまたは登録されていない旨のデータを受信し、保証期限受信部２１７は、保証期限を示すデータを受信する（ステップＳ５０２：図１４）。つぎに、通信端末２００の証明書画像生成部２１４は、製品シリアルＳのデータを受信したか否かを判定する（ステップＳ５０３：図１４）。製品シリアルＳのデータを受信していないと判定すると（ステップＳ５０３：Ｎｏ：図１４）、証明書画像生成部２１４は、モジュールＩＤが登録されていない旨の情報を含む画像を生成し、この画像を表示部２４０に表示する（ステップＳ５０６：図１４）。その後、証明書表示処理を終了する。
【００７３】
製品シリアルＳのデータを受信したと判定すると（ステップＳ５０３：Ｙｅｓ：図１４）、証明書画像生成部２１４は、この製品シリアルＳを記憶部２３０に予め保存された証明書の画像データに合成して、製品シリアルＳを含む証明書の画像を生成する（ステップＳ５０４：図１４）。つぎに、保証書画像生成部２１８は、記憶部２３０に予め保存された保証書の画像データに保証期限を合成して、保証期限を含む保証書の画像を生成する（ステップＳ５０５：図１４）。証明書画像生成部２１４および保証書画像生成部２１８は、図１６に示すように、製品シリアルＳを含む証明書の画像および保証期限を含む保証書の画像を表示部２４０に表示する。この例では、表示部２４０に表示された製品シリアルＳは、「ＧＳ０００３」であり、電子時計３００の裏蓋に刻印された製品シリアルＳも「ＧＳ０００３」である。保証期限は２０２０年３月２日である。
【００７４】
以上のように、第２の実施の形態の証明書表示システム１によれば、通信端末２００の表示部２４０に電子時計３００の製品シリアルＳを含む証明書および保証期限を含む保証書を表示することができる。このため、用紙に印刷した保証書を同梱する処理を省くことができる。また、記憶部２３０に保証書を示す画像が保存されているので、電子時計３００が故障した際など、ユーザが保証書を提示する必要がある場合は、保存されている画像を表示させて提示することができる。
【００７５】
（変形例）
上述の実施の形態では、通信端末２００の表示部２４０に表示される証明書に製品シリアルＳが表示される場合について説明したが、証明書には、製品シリアルＳに加えて、製造工場、製造担当者、製造年月日などの情報を付加してもよい。
【００７６】
上述の実施の形態では、通信端末２００の表示部２４０に証明書または保証書を表示する例について説明した。証明書または保証書は、電子時計３００のデジタル表示部３５０に表示されてもよい。例えば、電子時計３００は、通信端末２００を介して、製品シリアルＳ、保証期限を示すデータを取得し、製品シリアルＳを合成した証明書、または製品シリアルＳおよび保証期限を合成した保証書の画像をデジタル表示部３５０に表示してもよい。この場合、デジタル表示部３５０は、高解像の画像を表示するＬＣＤから構成されることが好ましい。
【００７７】
上述の実施の形態では、製品シリアルＳが電子時計３００の裏蓋に刻印されていたが、製品シリアルＳは、ユーザが製品シリアルＳを視認できる場所に表示されていればよく、文字盤に表示されていてもよく、デジタル表示部３５０に表示されてもよい。
【００７８】
上述の実施の形態では、制御部３１０と記憶部３２０とが電子時計３００のモジュールを構成する例について説明したが、モジュールに通信部３３０を含んでもよく、その他の構成を含んでもよい。
【００７９】
上述の実施の形態では、通信端末２００と電子時計３００とがＢｌｕｅｔｏｏｔｈにより相互に通信したが、相互に通信できればこれに限定されず、通信端末２００と電子時計３００とは、Ｂｌｕｅｔｏｏｔｈ以外の電波、赤外線、紫外線、超音波などによって相互に通信してもよい。
【００８０】
上述の実施の形態では、サーバ１００と通信端末２００がインターネット回線を介して相互に通信したが、相互に通信できればこれに限定されず、サーバ１００と通信端末２００とは、電話回線、無線通信、有線通信によって相互に通信してもよい。
【００８１】
上述の実施の形態では、第１の固有番号が電子時計３００の記憶部３２０に記憶されたモジュールＩＤから構成され、第２の固有番号が電子時計３００に表示された製品シリアルＳから構成される例について説明したが、第１の固有番号および第２の固有番号は、電子時計３００に付与されたものであれば、これらに限定されない。例えば、第１の固有番号が電子時計３００に表示された製品シリアルＳから構成され、第２の固有番号が電子時計３００の記憶部３２０に記憶されたモジュールＩＤから構成されてもよい。この場合、例えば、通信端末２００は、製品シリアルＳを撮像した画像からＯＣＲにより文字データに変換した製品シリアルＳのデータを取得し、この製品シリアルＳのデータをサーバ１００に送信する。製品シリアルＳのデータを受信したサーバ１００は、製品シリアルＳに対応するモジュールＩＤのデータを通信端末２００に送信する。モジュールＩＤのデータを受信した通信端末２００の証明書画像生成部２１４は、モジュールＩＤを予め保存された証明書の画像データに合成して、モジュールＩＤを含む証明書の画像を生成し、通信端末２００の表示部２４０に表示する。電子時計３００は、ユーザ操作に応答し、デジタル表示部３５０にモジュールＩＤを表示する。ユーザは、表示部２４０に表示された証明書のモジュールＩＤと見比べ、同じであれば、正規品であることを確認できる。
【００８２】
上述の第２の実施の形態では、最初にペアリングした日を購入日として認定し、保証期間（所定期間）の開始日とする例について説明したが、購入日の認定は、この例に限定されず、例えば、ユーザ若しくは販売した店舗から購入日の情報を取得し、この購入日の情報を入力部１２０を介して購入日受付部１１５が受け付け、この購入日を図１２に示すモジュールＩＤテーブルに保存し、保証期間の開始日としてもよい。この場合、この保証書の画像として、販売店の住所、名称、及び電話番号等の販売店情報、およびユーザの氏名、住所、及び電話番号等のユーザ情報を含ませてもよい。
【００８３】
上述の実施の形態では、第２の電子機器が電子時計３００から構成される例について説明したが、第２の電子機器は、モジュールＩＤのデータをモジュール内の記憶部３２０に記憶でき、記憶したモジュールＩＤのデータを通信端末２００に送信でいるものであれば、特に限定されない。例えば、第２の電子機器は、マウスなどの入力デバイス、デジタルカメラ、ヘッドフォンなどから構成されてもよい。
【００８４】
また、ＣＰＵ、ＲＡＭ、ＲＯＭ等から構成される通信端末２００が実行する証明書表示処理および保証書・証明書表示処理処理を行う中心となる部分は、専用のシステムによらず、通常の情報携帯端末（スマートフォン、タブレットＰＣ）、パーソナルコンピュータなどを用いて実行可能である。たとえば、上述の動作を実行するためのコンピュータプログラムを、コンピュータが読み取り可能な記録媒体（フレキシブルディスク、ＣＤ−ＲＯＭ（Compact Disc Read Only Memory）、ＤＶＤ−ＲＯＭ（Digital Versatile Disc Read Only Memory）等）に格納して配布し、このコンピュータプログラムを情報携帯端末などにインストールすることにより、上述の処理を実行する情報端末を構成してもよい。また、インターネット等の通信ネットワーク上のサーバ装置が有する記憶装置にこのコンピュータプログラムを格納しておき、通常の情報処理端末などがダウンロード等することで情報処理装置を構成してもよい。
【００８５】
また、通信端末２００の機能を、ＯＳ（Operating System）とアプリケーションプログラムとの分担、またはＯＳとアプリケーションプログラムとの協働により実現する場合などには、アプリケーションプログラム部分のみを記録媒体や記憶装置に格納してもよい。
【００８６】
また、搬送波にコンピュータプログラムを重畳し、通信ネットワークを介して配信することも可能である。例えば、通信ネットワーク上の掲示板（ＢＢＳ：Bulletin Board System）にこのコンピュータプログラムを掲示し、ネットワークを介してこのコンピュータプログラムを配信してもよい。そして、このコンピュータプログラムを起動し、ＯＳの制御下で、他のアプリケーションプログラムと同様に実行することにより、上述の処理を実行できるように構成してもよい。
【００８７】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【００８８】
（付記１）
第１の固有番号のデータと、第２の固有番号のデータと、を紐付けして、前記第１の固有番号と前記第２の固有番号とを記憶する記憶部を備えるサーバのデータ送信方法であって、
第１の電子機器から第２の電子機器の前記第１の固有番号のデータを受け付ける第１の固有番号受付ステップと、
前記第１の電子機器から受け付けた前記第１の固有番号が前記記憶部に記憶された前記第１の固有番号と一致しているか否かを判定する判定ステップと、
前記判定ステップによって前記第１の電子機器から受け付けた前記第１の固有番号が前記記憶部に記憶された前記第１の固有番号と一致していると判定された場合、前記記憶部に前記一致していると判定された前記第１の固有番号と紐付けられて記憶されている前記第２の固有番号のデータを前記第１の電子機器に送信する第２の固有番号送信ステップと、
を備えることを特徴とするデータ送信方法。
【００８９】
（付記２）
前記第１の固有番号受付ステップにおいて、前記第１の電子機器が取得した前記第２の電子機器に記憶された前記第１の固有番号のデータを、前記第１の電子機器から受け付ける、
ことを特徴とする付記１に記載のデータ送信方法。
【００９０】
（付記３）
前記第１の固有番号および前記第２の固有番号は、前記第２の電子機器を識別するための番号である、
ことを特徴とする付記１または２に記載のデータ送信方法。
【００９１】
（付記４）
前記記憶部は、前記第２の電子機器の所定期間のデータを記憶し、
前記第１の電子機器から所定の日 を示すデータを受け付ける日付受付ステップと、
前記第２の電子機器の前記所定の日に前記記憶部に記憶されている前記所定期間を加えた日を示すデータを前記第１の電子機器に送信する日付送信ステップと、を備えることを特徴とする付記１から３の何れか１つに記載のデータ送信方法。
【００９２】
（付記５）
前記所定の日は、前記第１の電子機器と前記第２の電子機器とが最初にペアリングした日であることを特徴とする付記４に記載のデータ送信方法。
【００９３】
（付記６）
前記所定の日は、前記第２の電子機器が購入された日を示すことを特徴とする付記４に記載のデータ送信方法。
【００９４】
（付記７）
前記第１の固有番号受付ステップで受け付ける前記第１の固有番号のデータは、前記第１の電子機器が、前記第２の電子機器とペアリングするための通信動作内で取得した前記第２の電子機器の記憶部に記憶されているデータである、
ことを特徴とする付記１から６のいずれか１つに記載のデータ送信方法。
【００９５】
（付記８）
第１の電子機器とサーバとを備える表示システムであり、
前記サーバは、第１の固有番号のデータと、第２の固有番号のデータと、を紐付けして、前記第１の固有番号と前記第２の固有番号とを記憶する記憶部と、
前記第１の電子機器から第２の電子機器の前記第１の固有番号のデータを受信する通信部と、
制御部と、を備え、
前記制御部は、
前記第１の電子機器から受信した前記第１の固有番号が前記記憶部に記憶された前記第１の固有番号と一致しているか否かを判定し、
前記第１の電子機器から受信した前記第１の固有番号が前記記憶部に記憶された前記第１の固有番号と一致していると判定された場合、前記記憶部に前記一致していると判定された前記第１の固有番号のデータと紐付けられて記憶されている前記第２の固有番号のデータを、前記通信部に前記第１の電子機器へ送信させ、
前記第１の電子機器は、予め用意された基礎データに前記サーバから送信された前記第２の固有番号のデータを含んで表示データを生成し、該表示データを表示部に表示する、
ことを特徴とする表示システム。
【００９６】
（付記９）
前記サーバの前記記憶部に、前記第２の電子機器の所定期間のデータを記憶し、
前記サーバの前記通信部は、第１の電子機器から第１の日付を示すデータを受信し、
前記サーバの前記制御部は、前記第２の電子機器の前記第１の日付に前記記憶部に記憶されている前記所定期間を加えた日である第２の日付のデータを生成し、前記通信部に前記第１の電子機器へ送信させ、
前記第１の電子機器は、前記表示データを前記サーバから送信された前記第２の日付のデータを含んで生成する、
ことを特徴とする付記８に記載の表示システム。
【００９７】
（付記１０）
第１の固有番号のデータと、第２の固有番号のデータと、を紐付けして、前記第１の固有番号と前記第２の固有番号とを記憶する記憶部と、
第１の電子機器から第２の電子機器の前記第１の固有番号のデータを受信する通信部と、
制御部と、を備え、
前記制御部は、
前記第１の電子機器から受信した前記第１の固有番号が前記記憶部に記憶された前記第１の固有番号と一致しているか否かを判定し、
前記第１の電子機器から受信した前記第１の固有番号が前記記憶部に記憶された前記第１の固有番号と一致していると判定した場合、前記記憶部に前記一致していると判定された前記第１の固有番号と紐付けられて記憶されている前記第２の固有番号のデータを、前記通信部に前記第１の電子機器へ送信させる、
を備えることを特徴とするサーバ。
【００９８】
（付記１１）
コンピュータを、
第１の固有番号のデータと、第２の固有番号のデータと、を紐付けして、前記第１の固有番号と前記第２の固有番号とを記憶する記憶手段、
第１の電子機器から第２の電子機器の前記第１の固有番号のデータを受け付ける受付手段、
前記第１の電子機器から受け付けた前記第１の固有番号が前記記憶手段に記憶された前記第１の固有番号と一致しているか否かを判定する判定手段、
前記判定手段によって前記第１の電子機器から受け付けた前記第１の固有番が前記記憶手段に記憶された前記第１の固有番号と一致していると判定した場合、前記記憶手段に前記一致していると判定された前記第１の固有番号と紐付けられて記憶されている前記第２の固有番号のデータを前記第１の電子機器に送信する送信手段、
として機能させるプログラム。
【符号の説明】
【００９９】
１…証明書表示システム、１００…サーバ、１１０、２１０、３１０…制御部、１２０…入力部、１３０、２２０、３３０…通信部、１４０、２３０、３２０…記憶部、１１１…製品シリアル登録部、１１２…モジュールＩＤ受付部、１１３…判定部、１１４…製品シリアル送信部、１１５…購入日受付部、１１６…保証期限送信部、２００…通信端末、２１１…モジュールＩＤ取得部、２１２…モジュールＩＤ送信部、２１３…製品シリアル受信部、２１４…証明書画像生成部、２１５…ペアリング部、２１６…購入日送信部、２１７…保証期限受信部、２１８…保証書画像生成部、２４０…表示部、２５０…操作部、３００…電子時計、３１１…モジュールＩＤ送信部、３１２…表示制御部、３１３…ペアリング部、３４０…アナログ表示部、３５０…デジタル表示部、３６０…操作部
【図１】
2018142133.tif 000003
【図２】
2018142133.tif 000004
【図３】
2018142133.tif 000005
【図４】
2018142133.tif 000006
【図５】
2018142133.tif 000007
【図６】
2018142133.tif 000008
【図７】
2018142133.tif 000009
【図８】
2018142133.tif 000010
【図９】
2018142133.tif 000011
【図１０】
2018142133.tif 000012
【図１１】
2018142133.tif 000013
【図１２】
2018142133.tif 000014
【図１３】
2018142133.tif 000015
【図１４】
2018142133.tif 000016
【図１５】
2018142133.tif 000017
【図１６】
2018142133.tif 000018